(57)【要約】【課題】  本発明については、人体への装着が簡単であり、義歯の装着した際にぐらつかないなどの安定性の優れたインプラント材料を提供することを目的とする。【解決手段】  アンカー部と本体部とを備え、アンカー部が回転防止機能を有するインプラント材料を用いる。また、アンカー部が１つ以上のアンカー部要素を含み、前記アンカー部要素の少なくとも一つが本体部の軸に対して偏心した位置となるように設けられたインプラント材料を用いる。【選択図】図１
2012034831.tif 000002
【特許請求の範囲】
【請求項１】
アンカー部と本体部とを備え、アンカー部が回転防止機能を有するインプラント材料。
【請求項２】
本体部が直接またはアバットメントを介して上部構造と接続し、前記アンカー部が１つ以上のアンカー部要素を含み、前記アンカー部要素の少なくとも一つが前記本体部の軸に対して偏心した位置となるように設けられた請求項１に記載のインプラント材料。
【請求項３】
前記アンカー部が海綿骨部に圧入可能である請求項１または２に記載のインプラント材料。
【請求項４】
前記アンカー部要素が、２つ以上であり、前記本体部の軸を中心として対称に配置された請求項１〜３のいずれかに記載のインプラント材料。
【請求項５】
前記アンカー部が、分岐を有する請求項１〜４に記載のインプラント材料。
【請求項６】
アンカー部及び／または本体部にチタン繊維により構成された金属網状を有する請求項１〜５のいずれかに記載のインプラント材料。
【発明の詳細な説明】
【技術分野】
【０００１】
本発明は、歯科の分野におけるインプラント治療において用いられる人工歯根に使用可能なインプラント材料に関する。
【背景技術】
【０００２】
虫歯や歯周病などで歯を失った場合には、簡単に外れないように、歯を失った部分に人工歯根を用いて義歯を装着することが行われている。このような人工歯根としては、円筒状の埋設部を備えた人工歯根が通常用いられている。人工歯根を埋設の際には、硬質の骨皮質部にドリルで穴を開け、比較的軟質の海綿骨部に埋設部を埋設するのであるが、経時で弛みを生じやすい。この弛みが生じた場合には、義歯がぐらつくなど安定性が不十分となり、噛み合せの問題が生じるのみならず、隙間よりの細菌の進入を許すこととなる。
【０００３】
このような弛みを防止する手段としては、埋設部に雄螺子部を設け、螺子溝形成治具により骨皮質部に螺子溝を形成して螺合させることが考えられるが、弛みのない螺合を形成するには精密に螺子溝を形成する必要があり、現実には難しい。  また、このような弛みを防止する人工歯根としては、螺子状の固定補助手段を用いて人工歯根の安定化を図ることが提案されている（特許文献１）。
【先行技術文献】
【特許文献】
【０００４】
【特許文献１】特開２００９−２３３１７９
【発明の概要】
【発明が解決しようとする課題】
【０００５】
しかし、上記の固定補助手段を有する人工歯根は、前記固定補助手段がねじ孔を備える人工歯根本体と、ねじ孔を介して該人工歯根本体に螺合されるために、ぐらつきなどについての安定性が増すものの、固定補助手段は取付けが難しく、人体への負担ともなる。本発明は、人体への装着が簡単であり、義歯を装着した際にぐらつかないなどの安定性の優れたインプラント材料を提供することを目的とする。
【課題を解決するための手段】
【０００６】
本発明は、アンカー部と本体部とを備え、アンカー部が回転防止機能を有するインプラント材料である。また、本発明は、前記アンカー部及び／または前記本体部にチタン繊維により構成された金属網状を有するインプラント材料でもある。
【発明の効果】
【０００７】
上記のインプラント材料を人工歯根として用いることにより、前記アンカー部が回転防止機能を有しているので、前記アンカー部を埋設するとその埋設部が回転防止機能を発揮するために、人工歯根のトルク強度が増す。そのために、アバットメントを介して上部構造を設けても、噛み合せの際の他の歯から受ける力を受け止めることができ、ぐらつきを防止して優れた安定性のインプラント材料となり、細菌の進入や、噛み合せによる人体への影響を軽減することができる。
【０００８】
また、本発明は、前記アンカー部及び／または前記本体部にチタン繊維により構成された金属網状体を有するインプラント材料でもあるので、前記金属網状体をも有しているために、前記アンカー部の回転防止機能に加えて、前記金属網状体の顎骨への定着を早期にすることができ、簡単な取り付け手技によって、ぐらつきの防止などの安定性を向上することができ、細菌の進入や、噛み合せによる人体へ影響をより排除することができる。
【図面の簡単な説明】
【０００９】
【図１】本発明のインプラント材料の第一の実施態様例の斜視図である。
【図２】（ａ）図１のインプラント材料を骨皮質部の一部を切除して顎骨に取り付けた状態の模式図である。  （ｂ）図１のインプラント材料を、骨皮質部を切除して顎骨に取り付けた状態の模式図である。
【図３】（ａ）図１のインプラント材料に上部構造を取り付ける組立図である。  （ｂ）図１のインプラント材料とインプラント材料が取り付けられるアバットメントと上部構造との組立図である。
【図４】（ａ）本発明のインプラント材料の第二の実施態様例の斜視図である。（ｂ）図４（ａ）のインプラント材料の底面図である。
【図５】（ａ）本発明のインプラント材料の第三の実施態様例の斜視図である。  （ｂ）図５（ａ）のインプラント材料の底面図である。  （ｃ）図５（ａ）のインプラント材料の変形例である。
【図６】（ａ）本発明のインプラント材料の第四の実施態様例の斜視図である。  （ｂ）図６（ａ）のインプラント材料の底面図である。
【図７】（ａ）本発明のインプラント材料の第五の実施態様例の斜視図である。  （ｂ）図７（ａ）のインプラント材料の底面図である。（ｃ）図７（ａ）のインプラント材料の変形例である。
【図８】（ａ）本発明のインプラント材料の第六の実施態様例の斜視図である。  （ｂ）図８（ａ）のインプラント材料の底面図である。
【図９】（ａ）本発明のインプラント材料の第七の実施態様例の斜視図である。  （ｂ）図９（ａ）のインプラント材料の底面図である。
【図１０】（ａ）本発明のインプラント材料の第八の実施態様例の斜視図である。  （ｂ）図１０（ａ）のインプラント材料の底面図である。
【図１１】（ａ）本発明のインプラント材料の第九の実施態様例の斜視図である。  （ｂ）図１１（ａ）のインプラント材料の底面図である。
【図１２】（ａ）本発明のインプラント材料の第十の実施態様例の斜視図である。  （ｂ）図１２（ａ）のインプラント材料を顎骨に埋設した状態を説明する模式的な断面図である。
【図１３】本発明のインプラント材料に対する金属網状体の取り付け位置の説明図である。
【図１４】（ａ）本発明のインプラント材料の第十一の実施態様例の斜視図である。  （ｂ）図１４（ａ）のインプラント材料の底面図である。
【発明を実施するための形態】
【００１０】
以下、本発明について、図面を用いて説明するが、本発明はこれらに限定されるものではない。インプラント材料１は、図１に示すように、本体部２とアンカー部３とを備えている。アンカー部３は、２つのアンカー部要素４、４'を備え、アンカー部要素４と本体部２とを繋ぐ連結部５及びアンカー部要素４'と本体部２とを繋ぐ連結部５'をも備えている。インプラント材料１は、埋設において、すくなくとも円筒状のアンカー部要素４が海綿骨部に圧入されることによりなされる。このとき、インプラント材料１は、圧入方向に対する垂直方向について、アンカー部要素と海綿骨部とが係合することとなる。なお、インプラント材料１を顎骨に取り付けるには、通常の方法で取り付けることが可能であり、例えば、図２（ａ）に示すように、顎骨の骨皮質部の一部をドリル等で切除して、ドリル等で海綿骨部にアンカー部挿入用の孔を穿設した後に、海綿骨部にアンカー部を埋設することができる。
【００１１】
顎骨に埋設されたインプラント材料１は、本体部２に対して、図３（ａ）に示すように、インプラント材料１の本体部２に上部構造８を装着させてもよく、図３（ｂ）示すように、アバットメント７が装着され、さらにアバットメント７には上部構造８が装着されてもよい。本体部２とアバットメント７との接続は、アバットメント７が人工歯根であるインプラント材料１の本体部２に確実に固定されるものであれば特に限定されるものではなく、例えば、図３（ａ）の上部構造の下端に設けられた孔に本体部２を強固に接続させても良い。図３（ｂ）のアバットメント７の下端に孔を設けて、該孔と本体部２とを嵌合させて強固に固定することもできる。図２（ｂ）では骨皮質部が切除されて海綿骨部とアンカー部とが係合しているが、図２（ａ）においては骨皮質部の一部が切除されてアンカー部が埋設されているために海綿骨部よりも硬い骨皮質部とアンカー部とが係合しているために、より強固にインプラント材料１が固定されることになる。このときインプラント材料１の軸Ｘが、本体部２の軸Ｙと一致して、アンカー部要素４、４'の軸Ｚ、Ｚ'とは平行となっているが、アンカー部要素４、４'のそれぞれの軸Ｚ，Ｚ'が、本体部２の軸Ｙと同軸上には位置せずに、アンカー部要素４、４'の軸Ｚ、Ｚ'が本体部２の軸Ｙに対して偏心した位置となるようにアンカー部３が設けられている。そのため、本体部２の軸Ｙを中心として回転するようにインプラント材料１に対して外力が加わった場合には、アンカー部要素４、４'がアンカー部要素４、４'の軸Ｚ、Ｚ'を中心とした回転運動をするのではなく、本体部２の軸Ｙを中心とした円周運動をアンカー部要素４、４'がするように力が働く。しかし、アンカー部要素４、４'と海綿骨部とが係合しているために当該円周運動をすることができない。そのため、本体部２の軸Ｙと偏心した位置にアンカー部要素４、４'が設けられた際には、アンカー部３が回転防止機能を有しているため、インプラント材料１が回転運動をすることができないので、ぐらつきなどを生じることが無く、安定性が高い。なお、アンカー部要素４、４'は、インプラント材料１の軸Ｘと平行な軸を有することから、インプラント材料１を押圧することにより、海綿骨部への圧入が容易である。また、インプラント材料１は、アンカー部要素４、４'が本体部の軸Ｙを中心として対称に配置されているので、本体部に外力が作用した場合において、複数のアンカー部要素に外力が分散されるので、人工歯根として顎骨に安定して固定することができる。なお、図２（ａ）では、インプラント材料１の本体部２が、アンカー部３との境界より骨皮質部から突き出し、図２（ｂ）では、インプラント材料１の本体部２の上側の一部が骨皮質部から突き出している。そのため、インプラント材料１が顎骨に固定されるまで、本体部２をキャップ等によって覆うこともでき、図２（ｂ）の実施態様では、骨皮質部の切除により生じた空間部に詰め物によって歯肉等が入り込むのを防止することもできる。
【００１２】
図４〜図１２は、本発明のインプラント材料の他の実施態様例を示した図である。第二の実施態様例であるインプラント材料１１は、図４に示すように、本体部１２の下部にアンカー部１３を備えている。アンカー部１３は、本体部１２のした部から分岐して、連結部を介して３つの円筒状のアンカー部要素１４、１４'、１４''を備えている。アンカー部要素１４、１４'、１４''は、第一の実施態様例の場合と同様に、本体部１２の軸に対して偏心した位置に設けられているので、アンカー部１３が回転防止機能を有しているためにインプラント材料１０が回転運動をすることができないので、ぐらつきなどを生じることが無く、安定性が高い。また、複数のアンカー部要素によりアンカー部が構成されているのでインプラント材料１１に外力が加わった場合であっても、複数のアンカー部要素で外力を受けるために、外力に対して安定性が高い。
【００１３】
図５において、第三の実施態様例であるインプラント材料２１は、上部に開口部２６を有する円筒状の本体部２２の下部に、横断面が円弧状である２つのアンカー部要素２４、２４'のみからなるアンカー部２３を備えている。インプラント材料２１は、アンカー部要素２４、２４'が、図１の第一の実施態様例と同様に、本体部２２の軸に対して偏心した位置となるように設けられているので、アンカー部２３がインプラント材料２１の回転を防止する機能を有しているためにインプラント材料２１が回転運動をすることができないので、ぐらつきなどを生じることが無く、安定性が高い。また、複数のアンカー部要素によりアンカー部が構成されているのでインプラント材料２１に外力が加わった場合であっても、複数のアンカー部要素で外力を受けるために、外力に対して安定性が高い。インプラント材料２１は、公知の方法でアバットメント及び上部構造を接続することができ、例えば、開口部２６に、図３に示したアバットメントの下端を挿入して本体部２２とアバットメントを接続し、さらにアバットメントに上部構造を接続して、インプラント材料２１を人工歯根として用いることができる。また、インプラント材料２１は、アンカー部要素２４、２４'が本体部２２の軸を中心として対称に配置されているので、本体部２２に外力が作用した場合において、複数のアンカー部要素に外力が分散されるので、人工歯根として顎骨に安定して固定することができる。なお、インプラント材料２１は、回転防止機能を損なわない限りにおいて、図５（ｃ）に示すように、図５（ａ）のインプラント材料２１について、アンカー部の端部を先端に向かって厚さが漸減するように先端部が変形されたインプラント材料２１'とすることもできる。
【００１４】
図６において、第四の実施態様例であるインプラント材料３１は、上部に開口部３６を有する円筒状の本体部３２の下部に、横断面が円弧状である３つのアンカー部要素３４、３４'、３４''のみからなるアンカー部３３を備えている。インプラント材料３１は、アンカー部要素３４、３４'、３４''が、図３のインプラント材料２１と同様に、本体部３２の軸に対して偏心した位置となるように設けられているので、アンカー部３３がインプラント材料３１の回転を防止する機能を有しているためにインプラント材料３１が回転運動をすることができないので、ぐらつきなどを生じることが無く、安定性が高い。また、インプラント材料３１は、インプラント材料２１に比べてアンカー部要素が１つ多く設けられているので、インプラント材料３１に外力が加わった場合には、インプラント材料２１に比べて、複数のアンカー部要素で外力を受けるために、外力に対して安定性が高く、人工歯根として顎骨に安定して固定することができる。
【００１５】
図７において、第五の実施態様例であるインプラント材料４１は、上部に開口部４６を有する円筒状の本体部４２の下部に、横断面が円形であり、外径が先端に近づくにつれて漸減するアンカー部要素４４を１つのみからなるアンカー部４３備えている。インプラント材料４１は、アンカー部要素が複数ではなく、単数として設けられているが、アンカー部要素４４が本体部４２の軸に対して偏心した位置となるように設けられているので、アンカー部４３がインプラント材料４１の回転を防止する機能を有しているためにインプラント材料４１が回転運動をすることができないので、ぐらつきなどを生じることが無く、安定性が高い。なお、この実施態様例においては、アンカー部要素そのものがアンカー部となっている。なお、図７（ｃ）に示すように、インプラント材料４１は、目的・適用部位に応じて、アンカー部要素４４を短くすることもできる。
【００１６】
図８において、第六の実施態様例であるインプラント材料５１は、上部に開口部５６を有する円筒状の本体部５２の下部に、横断面が丸められた頂点を有する三角形状であって、胴部５４１の横断面の中心よりも先端５４２がずれた位置となるように先端近傍から先端５４２に向けて外径が漸減するように先端部が形成されている。この実施態様例においては、アンカー部５３として、１つのアンカー部要素５４が本体部５２との接続面の中心が本体部５２の軸Ｙと一致している。アンカー部要素５４は、胴部５４１の軸から外れてアンカー部要素５４の先端５４２が設けられているので、アンカー部要素５４の先端５４２を通る軸Ｐが本体部５２の軸Ｙに対して偏心した位置となるように設けられている。そのため、本体部５２が軸回転するためには、アンカー部要素５４の先端５４２が本体部の軸を中心とした円周運動をしなければならないので、アンカー部要素５４と海綿骨部とが係合しているために先端５４２が前記回転運動をすることができない。そのため本体部５２が軸回転をすることができないので、アンカー部は回転防止機能を有し、インプラント材料５０は、ぐらつきなどを生じることが無く、安定性が高い。
【００１７】
図９の第七の実施態様例、図１０の第八の実施態様例及び図１１の第九の実施態様例において、インプラント材料６１、７１、８１は、上部に開口部６６、７６、８６を有する円筒状の本体部６２、７２、８２の下部に、横断面が楕円形で先端近傍から先端に向けて外径が漸減するように先端部が形成されているアンカー部要素が、それぞれ２つ、３つ及び４つ設けられている。インプラント材料６１、７１、８１は、アンカー部要素６４、６４'、７４〜７４''、８４〜８４'''が、それぞれ本体部６２、７２、８２の軸に対して偏心した位置となるように設けられているので、アンカー部６３、７３、８３がそれぞれインプラント材料６１、７１、８１の回転を防止する機能を有しているためにインプラント材料６１、７１、８１が回転運動をすることができないので、ぐらつきなどを生じることが無く、安定性が高い。また、複数のアンカー部要素によりアンカー部が構成されているのでインプラント材料６１、７１、８１に外力が加わった場合であっても、複数のアンカー部要素で外力を受けるために、外力に対して安定性が高い。また、インプラント材料６１、７１、８１は、アンカー部要素６４、６４'、７４〜７４''、８４〜８４'''がそれぞれの本体部６２、７２、８２の軸を中心として対称に配置されているので、本体部６２、７２、８２に外力が作用した場合において、複数のアンカー部要素に外力が分散されるので、人工歯根として顎骨に安定して固定することができる。図９〜図１１の実施態様例については、横断面が楕円状のアンカー部要素を複数用いているが、図７及び図８のように１つのアンカー部要素としてもよい。なお、図９〜図１１の実施態様例については、横断面が楕円形のアンカー部要素を複数用いているが、これらの実施態様例と同様に、図１４のように、円錐状のアンカー部要素を用いても良い。また、本体部６２、７２、８２は横断面の概形が円形となっているが、本発明のインプラント材料において、本体部の横断面の概形を楕円形であるところを、アンカー部要素を円錐形としてもよく、目的・適用部位に応じて長さ、大きさ等を調整することができる。
【００１８】
図１２において、第十の実施態様例であるインプラント材料９１は、円筒状の本体部９２の下部に底面部９７を備え、底面部９７には２つのアンカー部要素からなるアンカー部９３が設けられている。また、底面部９７には本体部９２から間隔を設けて壁部９８が形成されている。図１２においては、本体部９２と同軸となるように円筒状の壁部９８が形成され、図３（ａ）のように本体部９２が上部構造の孔に挿入できるように、本体部９２と壁部９８との間隔が設けられている。壁部９８には内面に雌螺子部９９が設けられており、上部構造の外面下側に雌螺子部９９と螺合可能な雄螺子部を設けることにより、インプラント材料９１への上部構造の固定が容易に行うことができる。また、本体部９２を有する以外はインプラント材料２１と同様な構造であるために、インプラント材料９１は、回転運動をすることができないので、ぐらつきなどを生じることが無く、安定性が高く、インプラント材料９１に外力が加わった場合であっても、複数のアンカー部要素９４、９４'で外力を受けるために、外力に対して安定性が高い。なお、壁部９８は、インプラント材料９１が定着するまでの間に、骨皮質や歯肉が本体部９２付近まで侵入して上部構造の取付けを阻害することを防止しているが、さらに、壁部９８の内側の空間を覆うようにキャップを取り付けることにより、上部構造を取り付けるまでの間に、骨皮質や歯肉などが本体部９２付近まで侵入することを容易に防止することができる。
【００１９】
上述のインプラント材料は、人体に悪影響を及ぼすものでなければ公知の材料を用いて製造することができ、生体適合性が良好であることからチタン製、またはチタン合金製とすることができる。
【００２０】
さらに、本発明のインプラント材料は、アンカー部及び／または本体部にチタン繊維により構成された金属網状体を有することができる。少なくとも人体組織と接触する一部部分または全部を金属網状体で構成することにより、前記金属網状体に細胞が誘導されて生体との定着性が向上するので、より早く定着性の優れた人工歯根とすることができる。前記金属網状体が配置される位置は、特に限定されるものではないが、図１３に示すように、ゾーン１の本体、ゾーン２のアンカー部、ゾーン３の本体部下部、ゾーン４の本体部下部側のアンカー部周辺部の４つのゾーンのいずれか及びこれらの組み合わせた範囲で設けることができる。前記金属網状体の配置場所がゾーン１、ゾーン２、及びゾーン４である場合には、前記金属網状体によって骨との定着の促進が図れ、ゾーン３である場合には前記金属網状体によって骨及び／または歯肉との定着の促進を図ることができる。なお、前記金属網状体は、金属線材に挟まれた間隔を複数有するものであれば、その形態が特に限定されるものではなく、単数本または複数本の金属繊維により形成された間隔を有する層が複数積層されたものであっても、金属繊維が捲回されたものであってもよく、細胞の導入若しくは細胞の培養の用途に適したものであれば、特に限定されるものではなく、公知のものを用いることができる。
【００２１】
本発明のインプラント材料は、人工歯根として用いることにより、人体への装着が簡単であり、義歯を装着した際にぐらつかないなどの安定性の優れた人工歯根として用いることができる。
【符号の説明】
【００２２】
１                                    インプラント材料
２                                    本体部
３                                    アンカー部
４、４'                              アンカー部要素
１１                                  インプラント材料
１２                                  本体部
１３                                  アンカー部
１４、１４'、１４''                アンカー部要素
２１                                  インプラント材料
２２                                  本体部
２３                                  アンカー部
２４、２４'                          アンカー部要素
３１                                  インプラント材料
３２                                  本体部
３３                                  アンカー部
３４、３４'、３４''                アンカー部要素
４１                                  インプラント材料
４２                                  本体部
４３                                  アンカー部
４４                                  アンカー部要素
５１                                  インプラント材料
５２                                  本体部
５３                                  アンカー部
５４                                  アンカー部要素
６１                                  インプラント材料
６２                                  本体部
６３                                  アンカー部
６４、６４'                          アンカー部要素
７１                                  インプラント材料
７２                                  本体部
７３                                  アンカー部
７４、７４'、７４''                アンカー部要素
８１                                  インプラント材料
８２                                  本体部
８３                                  アンカー部
８４、８４'、８４''、８４'''    アンカー部要素
９１                                  インプラント材料
９２                                  本体部
９３                                  アンカー部
９４、９４'                          アンカー部要素
９７                                  底面部
９８                                  壁部
９９                                  雌螺子部
１０１                                インプラント材料
１０２                                本体部
１０３                                アンカー部
１０４、１０４'                      アンカー部要素
１０６                                開口部
【図１】
2012034831.tif 000003
【図２】
2012034831.tif 000004
【図３】
2012034831.tif 000005
【図４】
2012034831.tif 000006
【図５】
2012034831.tif 000007
【図６】
2012034831.tif 000008
【図７】
2012034831.tif 000009
【図８】
2012034831.tif 000010
【図９】
2012034831.tif 000011
【図１０】
2012034831.tif 000012
【図１１】
2012034831.tif 000013
【図１２】
2012034831.tif 000014
【図１３】
2012034831.tif 000015
【図１４】
2012034831.tif 000016
【手続補正書】
【提出日】平成23年11月4日(2011.11.4)
【手続補正１】
【補正対象書類名】明細書
【補正対象項目名】全文
【補正方法】変更
【補正の内容】
【発明の詳細な説明】
【技術分野】
【０００１】
本発明は、歯科の分野におけるインプラント治療において用いられる人工歯根に使用可能なインプラント材料に関する。
【背景技術】
【０００２】
虫歯や歯周病などで歯を失った場合には、簡単に外れないように、歯を失った部分に人工歯根を用いて義歯を装着することが行われている。このような人工歯根としては、円筒状の埋設部を備えた人工歯根が通常用いられている。人工歯根を埋設の際には、硬質の骨皮質部にドリルで穴を開け、比較的軟質の海綿骨部に埋設部を埋設するのであるが、経時で弛みを生じやすい。この弛みが生じた場合には、義歯がぐらつくなど安定性が不十分となり、噛み合せの問題が生じるのみならず、隙間よりの細菌の進入を許すこととなる。
【０００３】
このような弛みを防止する手段としては、埋設部に雄螺子部を設け、螺子溝形成治具により骨皮質部に螺子溝を形成して螺合させることが考えられるが、弛みのない螺合を形成するには精密に螺子溝を形成する必要があり、現実には難しい。  また、このような弛みを防止する人工歯根としては、螺子状の固定補助手段を用いて人工歯根の安定化を図ることが提案されている（特許文献１）。
【先行技術文献】
【特許文献】
【０００４】
【特許文献１】特開２００９−２３３１７９
【発明の概要】
【発明が解決しようとする課題】
【０００５】
しかし、上記の固定補助手段を有する人工歯根は、前記固定補助手段がねじ孔を備える人工歯根本体と、ねじ孔を介して該人工歯根本体に螺合されるために、ぐらつきなどについての安定性が増すものの、固定補助手段は取付けが難しく、人体への負担ともなる。本発明は、人体への装着が簡単であり、義歯を装着した際にぐらつかないなどの安定性の優れたインプラント材料を提供することを目的とする。
【課題を解決するための手段】
【０００６】
本発明は、アンカー部と本体部とを備え、アンカー部が回転防止機能を有するインプラント材料である。また、本発明は、前記アンカー部及び／または前記本体部にチタン繊維により構成された金属網状体を有するインプラント材料でもある。
【発明の効果】
【０００７】
上記のインプラント材料を人工歯根として用いることにより、前記アンカー部が回転防止機能を有しているので、前記アンカー部を埋設するとその埋設部が回転防止機能を発揮するために、人工歯根のトルク強度が増す。そのために、アバットメントを介して上部構造を設けても、噛み合せの際の他の歯から受ける力を受け止めることができ、ぐらつきを防止して優れた安定性のインプラント材料となり、細菌の進入や、噛み合せによる人体への影響を軽減することができる。
【０００８】
また、本発明は、前記アンカー部及び／または前記本体部にチタン繊維により構成された金属網状体を有するインプラント材料でもあるので、前記金属網状体をも有しているために、前記アンカー部の回転防止機能に加えて、前記金属網状体の顎骨への定着を早期にすることができ、簡単な取り付け手技によって、ぐらつきの防止などの安定性を向上することができ、細菌の進入や、噛み合せによる人体への影響をより排除することができる。
【図面の簡単な説明】
【０００９】
【図１】本発明のインプラント材料の第一の実施態様例の斜視図である。
【図２】（ａ）図１のインプラント材料を骨皮質部の一部を切除して顎骨に取り付けた状態の模式図である。  （ｂ）図１のインプラント材料を、骨皮質部を切除して顎骨に取り付けた状態の模式図である。
【図３】（ａ）図１のインプラント材料に上部構造を取り付ける組立図である。  （ｂ）図１のインプラント材料とインプラント材料が取り付けられるアバットメントと上部構造との組立図である。
【図４】（ａ）本発明のインプラント材料の第二の実施態様例の斜視図である。（ｂ）図４（ａ）のインプラント材料の底面図である。
【図５】（ａ）本発明のインプラント材料の第三の実施態様例の斜視図である。  （ｂ）図５（ａ）のインプラント材料の底面図である。  （ｃ）図５（ａ）のインプラント材料の変形例である。
【図６】（ａ）本発明のインプラント材料の第四の実施態様例の斜視図である。  （ｂ）図６（ａ）のインプラント材料の底面図である。
【図７】（ａ）本発明のインプラント材料の第五の実施態様例の斜視図である。  （ｂ）図７（ａ）のインプラント材料の底面図である。（ｃ）図７（ａ）のインプラント材料の変形例である。
【図８】（ａ）本発明のインプラント材料の第六の実施態様例の斜視図である。  （ｂ）図８（ａ）のインプラント材料の底面図である。
【図９】（ａ）本発明のインプラント材料の第七の実施態様例の斜視図である。  （ｂ）図９（ａ）のインプラント材料の底面図である。
【図１０】（ａ）本発明のインプラント材料の第八の実施態様例の斜視図である。  （ｂ）図１０（ａ）のインプラント材料の底面図である。
【図１１】（ａ）本発明のインプラント材料の第九の実施態様例の斜視図である。  （ｂ）図１１（ａ）のインプラント材料の底面図である。
【図１２】（ａ）本発明のインプラント材料の第十の実施態様例の斜視図である。  （ｂ）図１２（ａ）のインプラント材料を顎骨に埋設した状態を説明する模式的な断面図である。
【図１３】本発明のインプラント材料に対する金属網状体の取り付け位置の説明図である。
【図１４】（ａ）本発明のインプラント材料の第十一の実施態様例の斜視図である。  （ｂ）図１４（ａ）のインプラント材料の底面図である。
【発明を実施するための形態】
【００１０】
以下、本発明について、図面を用いて説明するが、本発明はこれらに限定されるものではない。インプラント材料１は、図１に示すように、本体部２とアンカー部３とを備えている。アンカー部３は、２つのアンカー部要素４、４'を備え、アンカー部要素４と本体部２とを繋ぐ連結部５及びアンカー部要素４'と本体部２とを繋ぐ連結部５'をも備えている。インプラント材料１は、埋設において、すくなくとも円筒状のアンカー部要素４が海綿骨部に圧入されることによりなされる。このとき、インプラント材料１は、圧入方向に対する垂直方向について、アンカー部要素と海綿骨部とが係合することとなる。なお、インプラント材料１を顎骨に取り付けるには、通常の方法で取り付けることが可能であり、例えば、図２（ａ）に示すように、顎骨の骨皮質部の一部をドリル等で切除して、ドリル等で海綿骨部にアンカー部挿入用の孔を穿設した後に、海綿骨部にアンカー部を埋設することができる。
【００１１】
顎骨に埋設されたインプラント材料１は、本体部２に対して、図３（ａ）に示すように、インプラント材料１の本体部２に上部構造８を装着させてもよく、図３（ｂ）示すように、アバットメント７が装着され、さらにアバットメント７には上部構造８が装着されてもよい。本体部２とアバットメント７との接続は、アバットメント７が人工歯根であるインプラント材料１の本体部２に確実に固定されるものであれば特に限定されるものではなく、例えば、図３（ａ）の上部構造の下端に設けられた孔に本体部２を強固に接続させても良い。図３（ｂ）のアバットメント７の下端に孔を設けて、該孔と本体部２とを嵌合させて強固に固定することもできる。図２（ｂ）では骨皮質部が切除されて海綿骨部とアンカー部とが係合しているが、図２（ａ）においては骨皮質部の一部が切除されてアンカー部が埋設されているために海綿骨部よりも硬い骨皮質部とアンカー部とが係合しているために、より強固にインプラント材料１が固定されることになる。このときインプラント材料１の軸Ｘが、本体部２の軸Ｙと一致して、アンカー部要素４、４'の軸Ｚ、Ｚ'とは平行となっているが、アンカー部要素４、４'のそれぞれの軸Ｚ，Ｚ'が、本体部２の軸Ｙと同軸上には位置せずに、アンカー部要素４、４'の軸Ｚ、Ｚ'が本体部２の軸Ｙに対して偏心した位置となるようにアンカー部３が設けられている。そのため、本体部２の軸Ｙを中心として回転するようにインプラント材料１に対して外力が加わった場合には、アンカー部要素４、４'がアンカー部要素４、４'の軸Ｚ、Ｚ'を中心とした回転運動をするのではなく、本体部２の軸Ｙを中心とした円周運動をアンカー部要素４、４'がするように力が働く。しかし、アンカー部要素４、４'と海綿骨部とが係合しているために当該円周運動をすることができない。そのため、本体部２の軸Ｙと偏心した位置にアンカー部要素４、４'が設けられた際には、アンカー部３が回転防止機能を有しているため、インプラント材料１が回転運動をすることができないので、ぐらつきなどを生じることが無く、安定性が高い。なお、アンカー部要素４、４'は、インプラント材料１の軸Ｘと平行な軸を有することから、インプラント材料１を押圧することにより、海綿骨部への圧入が容易である。また、インプラント材料１は、アンカー部要素４、４'が本体部の軸Ｙを中心として対称に配置されているので、本体部に外力が作用した場合において、複数のアンカー部要素に外力が分散されるので、人工歯根として顎骨に安定して固定することができる。なお、図２（ａ）では、インプラント材料１の本体部２が、アンカー部３との境界より骨皮質部から突き出し、図２（ｂ）では、インプラント材料１の本体部２の上側の一部が骨皮質部から突き出している。そのため、インプラント材料１が顎骨に固定されるまで、本体部２をキャップ等によって覆うこともでき、図２（ｂ）の実施態様では、骨皮質部の切除により生じた空間部に詰め物によって歯肉等が入り込むのを防止することもできる。
【００１２】
図４〜図１２は、本発明のインプラント材料の他の実施態様例を示した図である。第二の実施態様例であるインプラント材料１１は、図４に示すように、本体部１２の下部にアンカー部１３を備えている。アンカー部１３は、本体部１２のした部から分岐して、連結部を介して３つの円筒状のアンカー部要素１４、１４'、１４''を備えている。アンカー部要素１４、１４'、１４''は、第一の実施態様例の場合と同様に、本体部１２の軸に対して偏心した位置に設けられているので、アンカー部１３が回転防止機能を有しているためにインプラント材料１１が回転運動をすることができないので、ぐらつきなどを生じることが無く、安定性が高い。また、複数のアンカー部要素によりアンカー部が構成されているのでインプラント材料１１に外力が加わった場合であっても、複数のアンカー部要素で外力を受けるために、外力に対して安定性が高い。
【００１３】
図５において、第三の実施態様例であるインプラント材料２１は、上部に開口部２６を有する円筒状の本体部２２の下部に、横断面が円弧状である２つのアンカー部要素２４、２４'のみからなるアンカー部２３を備えている。インプラント材料２１は、アンカー部要素２４、２４'が、図１の第一の実施態様例と同様に、本体部２２の軸に対して偏心した位置となるように設けられているので、アンカー部２３がインプラント材料２１の回転を防止する機能を有しているためにインプラント材料２１が回転運動をすることができないので、ぐらつきなどを生じることが無く、安定性が高い。また、複数のアンカー部要素によりアンカー部が構成されているのでインプラント材料２１に外力が加わった場合であっても、複数のアンカー部要素で外力を受けるために、外力に対して安定性が高い。インプラント材料２１は、公知の方法でアバットメント及び上部構造を接続することができ、例えば、開口部２６に、図３に示したアバットメントの下端を挿入して本体部２２とアバットメントを接続し、さらにアバットメントに上部構造を接続して、インプラント材料２１を人工歯根として用いることができる。また、インプラント材料２１は、アンカー部要素２４、２４'が本体部２２の軸を中心として対称に配置されているので、本体部２２に外力が作用した場合において、複数のアンカー部要素に外力が分散されるので、人工歯根として顎骨に安定して固定することができる。なお、インプラント材料２１は、回転防止機能を損なわない限りにおいて、図５（ｃ）に示すように、図５（ａ）のインプラント材料２１について、アンカー部の端部を先端に向かって厚さが漸減するように先端部が変形されたインプラント材料２１'とすることもできる。
【００１４】
図６において、第四の実施態様例であるインプラント材料３１は、上部に開口部３６を有する円筒状の本体部３２の下部に、横断面が円弧状である３つのアンカー部要素３４、３４'、３４''のみからなるアンカー部３３を備えている。インプラント材料３１は、アンカー部要素３４、３４'、３４''が、図５のインプラント材料２１と同様に、本体部３２の軸に対して偏心した位置となるように設けられているので、アンカー部３３がインプラント材料３１の回転を防止する機能を有しているためにインプラント材料３１が回転運動をすることができないので、ぐらつきなどを生じることが無く、安定性が高い。また、インプラント材料３１は、インプラント材料２１に比べてアンカー部要素が１つ多く設けられているので、インプラント材料３１に外力が加わった場合には、インプラント材料２１に比べて、複数のアンカー部要素で外力を受けるために、外力に対して安定性が高く、人工歯根として顎骨に安定して固定することができる。
【００１５】
図７において、第五の実施態様例であるインプラント材料４１は、上部に開口部４６を有する円筒状の本体部４２の下部に、横断面が円形であり、外径が先端に近づくにつれて漸減するアンカー部要素４４を１つのみからなるアンカー部４３備えている。インプラント材料４１は、アンカー部要素が複数ではなく、単数として設けられているが、アンカー部要素４４が本体部４２の軸に対して偏心した位置となるように設けられているので、アンカー部４３がインプラント材料４１の回転を防止する機能を有しているためにインプラント材料４１が回転運動をすることができないので、ぐらつきなどを生じることが無く、安定性が高い。なお、この実施態様例においては、アンカー部要素そのものがアンカー部となっている。なお、図７（ｃ）に示すように、インプラント材料４１は、目的・適用部位に応じて、アンカー部要素４４を短くすることもできる。
【００１６】
図８において、第六の実施態様例であるインプラント材料５１は、上部に開口部５６を有する円筒状の本体部５２の下部に、横断面が丸められた頂点を有する三角形状であって、胴部５４１の横断面の中心よりも先端５４２がずれた位置となるように先端近傍から先端５４２に向けて外径が漸減するように先端部が形成されている。この実施態様例においては、アンカー部５３として、１つのアンカー部要素５４が本体部５２との接続面の中心が本体部５２の軸Ｙと一致している。アンカー部要素５４は、胴部５４１の軸から外れてアンカー部要素５４の先端５４２が設けられているので、アンカー部要素５４の先端５４２を通る軸Ｐが本体部５２の軸Ｙに対して偏心した位置となるように設けられている。そのため、本体部５２が軸回転するためには、アンカー部要素５４の先端５４２が本体部の軸を中心とした円周運動をしなければならないので、アンカー部要素５４と海綿骨部とが係合しているために先端５４２が前記回転運動をすることができない。そのため本体部５２が軸回転をすることができないので、アンカー部は回転防止機能を有し、インプラント材料５１は、ぐらつきなどを生じることが無く、安定性が高い。
【００１７】
図９の第七の実施態様例、図１０の第八の実施態様例及び図１１の第九の実施態様例において、インプラント材料６１、７１、８１は、上部に開口部６６、７６、８６を有する円筒状の本体部６２、７２、８２の下部に、横断面が楕円形で先端近傍から先端に向けて外径が漸減するように先端部が形成されているアンカー部要素が、それぞれ２つ、３つ及び４つ設けられている。インプラント材料６１、７１、８１は、アンカー部要素６４、６４'、７４〜７４''、８４〜８４'''が、それぞれ本体部６２、７２、８２の軸に対して偏心した位置となるように設けられているので、アンカー部６３、７３、８３がそれぞれインプラント材料６１、７１、８１の回転を防止する機能を有しているためにインプラント材料６１、７１、８１が回転運動をすることができないので、ぐらつきなどを生じることが無く、安定性が高い。また、複数のアンカー部要素によりアンカー部が構成されているのでインプラント材料６１、７１、８１に外力が加わった場合であっても、複数のアンカー部要素で外力を受けるために、外力に対して安定性が高い。また、インプラント材料６１、７１、８１は、アンカー部要素６４、６４'、７４〜７４''、８４〜８４'''がそれぞれの本体部６２、７２、８２の軸を中心として対称に配置されているので、本体部６２、７２、８２に外力が作用した場合において、複数のアンカー部要素に外力が分散されるので、人工歯根として顎骨に安定して固定することができる。図９〜図１１の実施態様例については、横断面が楕円状のアンカー部要素を複数用いているが、図７及び図８のように１つのアンカー部要素としてもよい。なお、図９〜図１１の実施態様例については、横断面が楕円形のアンカー部要素を複数用いているが、これらの実施態様例と同様に、図１４のように、円錐状のアンカー部要素を用いても良い。また、本体部６２、７２、８２は横断面の概形が円形となっているが、本発明のインプラント材料において、本体部の横断面の概形を楕円形であるところを、アンカー部要素を円錐形としてもよく、目的・適用部位に応じて長さ、大きさ等を調整することができる。
【００１８】
図１２において、第十の実施態様例であるインプラント材料９１は、円筒状の本体部９２の下部に底面部９７を備え、底面部９７には２つのアンカー部要素からなるアンカー部９３が設けられている。また、底面部９７には本体部９２から間隔を設けて壁部９８が形成されている。図１２においては、本体部９２と同軸となるように円筒状の壁部９８が形成され、図３（ａ）のように本体部９２が上部構造の孔に挿入できるように、本体部９２と壁部９８との間隔が設けられている。壁部９８には内面に雌螺子部９９が設けられており、上部構造の外面下側に雌螺子部９９と螺合可能な雄螺子部を設けることにより、インプラント材料９１への上部構造の固定が容易に行うことができる。また、本体部９２を有する以外はインプラント材料２１と同様な構造であるために、インプラント材料９１は、回転運動をすることができないので、ぐらつきなどを生じることが無く、安定性が高く、インプラント材料９１に外力が加わった場合であっても、複数のアンカー部要素９４、９４'で外力を受けるために、外力に対して安定性が高い。なお、壁部９８は、インプラント材料９１が定着するまでの間に、骨皮質や歯肉が本体部９２付近まで侵入して上部構造の取付けを阻害することを防止しているが、さらに、壁部９８の内側の空間を覆うようにキャップを取り付けることにより、上部構造を取り付けるまでの間に、骨皮質や歯肉などが本体部９２付近まで侵入することを容易に防止することができる。
【００１９】
上述のインプラント材料は、人体に悪影響を及ぼすものでなければ公知の材料を用いて製造することができ、生体適合性が良好であることからチタン製、またはチタン合金製とすることができる。
【００２０】
さらに、本発明のインプラント材料は、アンカー部及び／または本体部にチタン繊維により構成された金属網状体を有することができる。少なくとも人体組織と接触する一部部分または全部を金属網状体で構成することにより、前記金属網状体に細胞が誘導されて生体との定着性が向上するので、より早く定着性の優れた人工歯根とすることができる。前記金属網状体が配置される位置は、特に限定されるものではないが、図１３に示すように、ゾーン１の本体部、ゾーン２のアンカー部、ゾーン３の本体部下部、ゾーン４の本体部下部側のアンカー部周辺部の４つのゾーンのいずれか及びこれらの組み合わせた範囲で設けることができる。前記金属網状体の配置場所がゾーン１、ゾーン２、及びゾーン４である場合には、前記金属網状体によって骨との定着の促進が図れ、ゾーン３である場合には前記金属網状体によって骨及び／または歯肉との定着の促進を図ることができる。なお、前記金属網状体は、金属線材に挟まれた間隔を複数有するものであれば、その形態が特に限定されるものではなく、単数本または複数本の金属繊維により形成された間隔を有する層が複数積層されたものであっても、金属繊維が捲回されたものであってもよく、細胞の導入若しくは細胞の培養の用途に適したものであれば、特に限定されるものではなく、公知のものを用いることができる。
【００２１】
本発明のインプラント材料は、人工歯根として用いることにより、人体への装着が簡単であり、義歯を装着した際にぐらつかないなどの安定性の優れた人工歯根として用いることができる。
【符号の説明】
【００２２】
１                                    インプラント材料
２                                    本体部
３                                    アンカー部
４、４'                              アンカー部要素
１１                                  インプラント材料
１２                                  本体部
１３                                  アンカー部
１４、１４'、１４''                アンカー部要素
２１                                  インプラント材料
２２                                  本体部
２３                                  アンカー部
２４、２４'                          アンカー部要素
３１                                  インプラント材料
３２                                  本体部
３３                                  アンカー部
３４、３４'、３４''                アンカー部要素
４１                                  インプラント材料
４２                                  本体部
４３                                  アンカー部
４４                                  アンカー部要素
５１                                  インプラント材料
５２                                  本体部
５３                                  アンカー部
５４                                  アンカー部要素
６１                                  インプラント材料
６２                                  本体部
６３                                  アンカー部
６４、６４'                          アンカー部要素
７１                                  インプラント材料
７２                                  本体部
７３                                  アンカー部
７４、７４'、７４''                アンカー部要素
８１                                  インプラント材料
８２                                  本体部
８３                                  アンカー部
８４、８４'、８４''、８４'''    アンカー部要素
９１                                  インプラント材料
９２                                  本体部
９３                                  アンカー部
９４、９４'                          アンカー部要素
９７                                  底面部
９８                                  壁部
９９                                  雌螺子部
１０１                                インプラント材料
１０２                                本体部
１０３                                アンカー部
１０４、１０４'                      アンカー部要素
１０６                                開口部
【手続補正２】
【補正対象書類名】特許請求の範囲
【補正対象項目名】全文
【補正方法】変更
【補正の内容】
【特許請求の範囲】
【請求項１】
アンカー部と本体部とを備え、アンカー部が回転防止機能を有するインプラント材料。
【請求項２】
本体部が直接またはアバットメントを介して上部構造と接続し、前記アンカー部が１つ以上のアンカー部要素を含み、前記アンカー部要素の少なくとも一つが前記本体部の軸に対して偏心した位置となるように設けられた請求項１に記載のインプラント材料。
【請求項３】
前記アンカー部が海綿骨部に圧入可能である請求項１または２に記載のインプラント材料。
【請求項４】
前記アンカー部要素が、２つ以上であり、前記本体部の軸を中心として対称に配置された請求項１〜３のいずれかに記載のインプラント材料。
【請求項５】
前記アンカー部が、分岐を有する請求項１〜４に記載のインプラント材料。
【請求項６】
アンカー部及び／または本体部にチタン繊維により構成された金属網状体を有する請求項１〜５のいずれかに記載のインプラント材料。
【手続補正３】
【補正対象書類名】図面
【補正対象項目名】全図
【補正方法】変更
【補正の内容】
【図１】
2012034831.tif 000017
【図２】
2012034831.tif 000018
【図３】
2012034831.tif 000019
【図４】
2012034831.tif 000020
【図５】
2012034831.tif 000021
【図６】
2012034831.tif 000022
【図７】
2012034831.tif 000023
【図８】
2012034831.tif 000024
【図９】
2012034831.tif 000025
【図１０】
2012034831.tif 000026
【図１１】
2012034831.tif 000027
【図１２】
2012034831.tif 000028
【図１３】
2012034831.tif 000029
【図１４】
2012034831.tif 000030